(57)【要約】【課題】濾紙を用いる揮散方式に代えてより安価な方法で内容物を揮散させることができる揮散剤容器を提供する。【解決手段】本発明の揮散剤容器は、上部を開口させた口部１３を有し内容物として揮散剤を収容する容器本体１０と、容器本体１０内の内容物を吸い上げる吸い上げ芯２０を口部１３に保持するホルダー３０と、吸い上げ芯２０を覆う天壁４２を有し口部１３にねじ止めされて未開封状態を維持するカバーキャップ４０とを備え、カバーキャップ４０は、口部１３に装着された状態にて、吸い上げ芯２０に食い込む刃部４６を有することを特徴とする。【選択図】図１
2014108200.tif 000002
【特許請求の範囲】
【請求項１】
上部を開口させた口部を有し内容物として揮散剤を収容する容器本体と、該容器本体内の内容物を吸い上げる吸い上げ芯を該口部に保持するホルダーと、該吸い上げ芯を覆う天壁を有し該口部にねじ止めされて未開封状態を維持するカバーキャップとを備える揮散剤容器であって、
前記カバーキャップは、前記口部に装着された状態にて、前記吸い上げ芯に食い込む刃部を有する揮散剤容器。
【請求項２】
前記カバーキャップは、前記天壁から前記吸い上げ芯の先端に向けて垂下するとともに該吸い上げ芯よりも小径となる筒状体を有し、該筒状体の先端に前記刃部を設けた請求項１に記載の揮散剤容器。
【請求項３】
前記刃部は、前記筒状体の外周面及び内周面の少なくとも一方に、該筒状体の軸線に沿って延びるエッジ部を有する請求項２に記載の揮散剤容器。
【請求項４】
前記容器本体に着脱自在に装着される外装壁を有し前記口部に保持される内筒を連結壁を介して該外装壁に一体連結させたカバー本体と、前記吸い上げ芯を覆って該カバー本体に着脱自在に嵌め合わされる蓋体とを備える請求項１〜３の何れかに記載の揮散剤容器。
【発明の詳細な説明】
【技術分野】
【０００１】
本発明は、収容した芳香剤や消臭剤等の内容物を揮散させる揮散剤容器に関するものである。
【背景技術】
【０００２】
芳香剤や消臭剤等の内容物を揮散させる容器として、例えば特許文献１には、揮散性薬剤を収容する容器本体１と、揮散性薬剤を揮散させるための揮散部材３と、容器本体１内の揮散性薬剤の吸い上げ部材２とを有し、揮散部材３と吸い上げ部材２とを当接させる押圧部材５を設けた薬剤揮散容器が示されている。揮散部材３は、吸い上げ部材２にて吸い上げられた薬剤をその内側に浸透させて、より広い面積で揮散させるものであり、薬剤の揮散効率を高めている。
【先行技術文献】
【特許文献】
【０００３】
【特許文献１】特開平５−２６９１８８号公報
【発明の概要】
【発明が解決しようとする課題】
【０００４】
ところで、このような揮散部材の材料としては濾紙を用いることが一般的であるものの、価格が高く、揮散剤容器の原価削減の妨げになっていた。このため、濾紙を用いる揮散方式に代えてより安価な方法で内容物を揮散させることができる、新たな揮散剤容器が求められていた。
【０００５】
本発明は、このような従来の問題点を解決することを課題とするものであり、その目的は、従来の濾紙を用いる揮散方式に対してより安価となる、新規の揮散剤容器を提案するところにある。
【課題を解決するための手段】
【０００６】
本発明は、上部を開口させた口部を有し内容物として揮散剤を収容する容器本体と、該容器本体内の内容物を吸い上げる吸い上げ芯を該口部に保持するホルダーと、該吸い上げ芯を覆う天壁を有し該口部にねじ止めされて未開封状態を維持するカバーキャップとを備える揮散剤容器であって、
前記カバーキャップは、前記口部に装着された状態にて、前記吸い上げ芯に食い込む刃部を有する揮散剤容器である。
【０００７】
前記カバーキャップは、前記天壁から前記吸い上げ芯の先端に向けて垂下するとともに該吸い上げ芯よりも小径となる筒状体を有し、該筒状体の先端に前記刃部を設けることが好ましい。
【０００８】
前記刃部は、前記筒状体の外周面及び内周面の少なくとも一方に、該筒状体の軸線に沿って延びるエッジ部を有することが好ましい。
【０００９】
前記容器本体に着脱自在に装着される外装壁を有し前記口部に保持される内筒を連結壁を介して該外装壁に一体連結させたカバー本体と、前記吸い上げ芯を覆って該カバー本体に着脱自在に嵌め合わされる蓋体とを備えることが好ましい。
【発明の効果】
【００１０】
揮散剤を収容する容器本体の口部に、内容物を吸い上げる吸い上げ芯を保持するホルダーを設けるとともに、この口部にねじ止めされて未開封状態を維持するカバーキャップを設け、カバーキャップに、口部に装着された状態で吸い上げ芯に食い込む刃部を設けたので、カバーキャップを口部にねじ込むことで吸い上げ芯は刃部によってほぐされる。これにより吸い上げ芯の表面積が増して内容物を効果的に揮散させることができる。また従来の濾紙が不要となるので安価になる。
【００１１】
カバーキャップに、天壁から吸い上げ芯の先端に向けて垂下するとともに吸い上げ芯よりも小径となる筒状体を設け、この先端に刃部を設ける場合は、吸い上げ芯に食い込んだ筒状体の厚み分、吸い上げ芯を外側に押し広げることができるので、吸い上げ芯の表面積をより増やすことができ、揮散効率が更に高まる。
【００１２】
筒状体の外周面及び内周面の少なくとも一方に、筒状体の軸線に沿って延びるエッジ部を設ける場合は、刃部として機能する部位を筒状体の先端だけでなく周壁にも及ばせてその長さが増えることによって、より効果的に吸い上げ芯をほぐすことが可能となる。
【００１３】
容器本体に着脱自在に装着される外装壁を有し、口部に保持される内筒を連結壁を介して外装壁に一体連結させたカバー本体と、吸い上げ芯を覆ってカバー本体に着脱自在に嵌め合わされる蓋体とを設ける場合は、カバー本体及び蓋体にて吸い上げ芯への不用意な接触を防止することができるので、ほぐされた吸い上げ芯の形状がそのままの状態で維持される。
【図面の簡単な説明】
【００１４】
【図１】本発明に従う揮散剤容器の一実施形態につき、その要部を示す側面図及び断面図である。
【図２】図１に示す刃部につき、（ａ）は部分拡大側面図であり、（ｂ）は下面図である。
【図３】刃部によりほぐされた吸い上げ芯を示す側面図である。
【発明を実施するための形態】
【００１５】
以下、図面を参照して、本発明をより具体的に説明する。
図１は、本発明に従う揮散剤容器の一実施形態につき、その要部を示す側面図及び断面図であって、図２は、図１に示す刃部につき、（ａ）は部分拡大側面図であり、（ｂ）は下面図であって、図３は、刃部によりほぐされた吸い上げ芯を示す側面図である。
【００１６】
図１において、符号１０は容器本体である。本実施形態において容器本体１０は、有底筒状となる胴部１１に肩部１２を介して口部１３を一体連結していて、その内側に芳香剤や消臭剤等の揮散剤を収容可能としている。また口部１３の外周面には、ねじ部１４を設けるとともにその下方にリング部１５を設けている。
【００１７】
符号２０は、容器本体１０内の内容物を吸い上げる吸い上げ芯である。吸い上げ芯２０は、例えばフェルト材やパルプ材、合成樹脂製の多孔質体、繊維束体にて棒状に形成され、図示は省略するが、その下端は容器本体１０の底部まで延びている。これにより、容器本体１０内の揮散剤は吸い上げ芯２０に浸透し、吸い上げ芯２０の上端まで吸い上げられる。
【００１８】
符号３０は、吸い上げ芯２０を保持するホルダーである。ホルダー３０は、吸い上げ芯２０が落下しない程度に係合可能な係合筒３１と、係合筒３１と連結し、本実施形態では上方に向けて傾斜するとともにその後は垂直に起立する形状となる連結部３２と、連結部３２につながるとともに口部１３の開口を覆う水平壁３３とを備えていて、水平壁３３の下面には口部１３に気密に当接するシール筒３４を設けている。これにより吸い上げ芯２０は起立状態で保持される。また、連結部３２には、容器本体１０内の圧力が過度に上昇することを防止する貫通孔３２ａを設けている。
【００１９】
符号４０は、容器本体１０に取り付けられるカバーキャップである。カバーキャップ４０は、口部１３を取り囲む周壁４１と、周壁４１に一体連結するとともに吸い上げ芯２０を覆う天壁４２とを備えている。周壁４１の内周面にはねじ部４３を設けていて、カバーキャップ４０は口部１３にねじ止め保持される。本実施形態では、吸い上げ芯２０の先端部を口部１３より上方に突出させていて、天壁４２は、吸い上げ芯２０の先端部を取り囲む有頂筒状の膨出部４２ａと、膨出部４２ａの縁部につながるドーナツ板状の水平部４２ｂにて形成されている。また、天壁４２の下面には、ねじ止めによって連結部３２と気密に当接する環状のシール壁４４を設けていて、カバーキャップ４０を取り除くまでは容器本体１０を未開封状態で維持することができる。更に、天壁４２の中央部には、吸い上げ芯２０よりも小径となる筒状体４５が、吸い上げ芯２０の先端に向けて垂下されるように一体連結されている。
【００２０】
ここで、筒状体４５には、図２（ａ）、（ｂ）に示すように刃部４６を設けている。本実施形態において刃部４６は、筒状体４５の内周面及び外周面が、筒状体４５の先端から根元に向けて先細りとなる三角錐状の複数の溝で切り取られた形状となっている。これにより筒状体４５の内周面及び外周面には、筒状体４５の軸線Ｃに沿って延びるエッジ部４７が形成される。
【００２１】
符号５０は、容器本体１０上に設けられるカバー本体である。カバー本体５０は、容器本体１０の肩部１２に、例えばアンダーカットの如き係合手段にて着脱自在に装着される環状の外装壁５１を備えている。また外装壁５１の上縁には、水平方向内側に向けて延びる連結壁５２を一体連結していて、更に連結壁５２の内縁には、口部１３のリング部１５に押し当たって保持される内筒５３を連結している。本実施形態においては、内筒５３を縦方向に切り欠くスリット５３ａを設けて、内筒５３を径方向外側に撓み変形できるようにしている。また、外装壁５１には、その内外を連通させる揮散孔５４を設けている。
【００２２】
符号６０は、吸い上げ芯２０を覆うとともに、例えばアンダーカットの如き係合手段にてカバー本体５０に着脱自在に装着される蓋体である。また蓋体６０は、その内外を連通させる揮散孔６１を備えている。
【００２３】
上記のような構成となる揮散剤容器は、容器本体１０内に内容物を充填し、吸い上げ芯２０を取り付けたホルダー３０を口部１３に装着した状態で、カバーキャップ４０を容器本体１０に装着する。そして、口部１３にカバーキャップ４０をねじ込んでいくと、筒状体４５が吸い上げ芯２０の先端に押し当たり、刃部４６にて吸い上げ芯２０がほぐされる。本実施形態において筒状体４５は、吸い上げ芯２０よりも小径となっているので、図１に示すように吸い上げ芯２０に食い込んだ際、筒状体４５の厚み分、吸い上げ芯２０を外側に押し広げることができる。そしてエッジ部４７は、筒状体４５の先端のみならずその内周面及び外周面にも及んでいるので、吸い上げ芯２０は、筒状体４５の先端のエッジ部４７でほぐされつつ、更に、口部１３にカバーキャップ４０をねじ込む際に筒状体４５の内周面及び外周面のエッジ部４７がほぐされた部位に押し当たってほぐれが助長されるので、より効果的に吸い上げ芯２０の表面積を増すことができる。
【００２４】
内容物を揮散させるに当たっては、カバーキャップ４０を回転して取り外す。これにより、図３に示すように先端部がほぐされて広がった吸い上げ芯２０が露出され、吸い上げた内容物を揮散させることができる。カバー本体５０及び蓋体６０を取り付けた後は、それぞれの揮散孔５４、６１を通して揮散した内容物が放出される。
【００２５】
なお、本発明に従う刃部４６は、本実施形態に限られず、例えば筒状体４５の先端に、下方に向けて先細りとなる三角形状のものを周方向に複数個設けることや、吸い上げ芯２０の外周面をほぐすことを目的として、吸い上げ芯２０の外周面に向かう横向き刃を設けてもよく、またこれらを組み合わせて設けてもよい。
【産業上の利用可能性】
【００２６】
本発明によれば、揮散効果を損なうことなく従来の濾紙を用いる揮散方式よりも安価となる、新たな揮散剤容器を提供することができる。
【符号の説明】
【００２７】
１０  容器本体
１３  口部
２０  吸い上げ芯
３０  ホルダー
４０  カバーキャップ
４２  天壁
４５  筒状体
４６  刃部
４７  エッジ部
５０  カバー本体
５１  外装壁
５２  連結壁
５３  内筒
６０  蓋体
【図１】
2014108200.tif 000003
【図２】
2014108200.tif 000004
【図３】
2014108200.tif 000005